(57)【特許請求の範囲】
【請求項１】
第１及び第２の筆記面を有する筆記シートと、内部に筆記シートを有しその開口部から前記第１の筆記面又は前記第２の筆記面を表出させる筐体と、前記筆記シートを搬送する搬送手段と、前記搬送手段により搬送される前記筆記シートに書かれた情報を読み取る読取手段と、前記読取手段によって読み取られた情報を出力する出力手段と、第１及び第２の入力キーを有する入力手段と、前記搬送手段、前記読取手段、前記出力手段を制御する制御手段とを有し、前記制御手段は、前記筐体の開口部から前記第１の筆記面が表出した状態において、前記第１の入力キーからの入力に応答して、前記搬送手段を駆動して前記筆記シートを搬送させつつ、前記読取手段を駆動して前記第１の筆記面に書かれた情報を読み取らせるとともに、前記出力手段に出力させた後、再び前記第１の筆記面を前記筐体の開口部から表出させるように前記搬送手段を制御し、また、前記筐体の開口部から前記第１の筆記面が表出した状態において、前記第２の入力キーからの入力に応答して、前記搬送手段を駆動して前記筆記シートを搬送させて前記第１の筆記面に替えて、前記第２の筆記面を前記筐体の開口部から表出させることを特徴とする電子黒板装置。
【発明の詳細な説明】
【０００１】
【発明の属する技術分野】
本発明は、筆記具により情報の書き込み・消去が可能な筆記シート上に書かれた情報を読み取り、出力することができる電子黒板装置に関するものである。
【０００２】
【従来の技術】
従来より、特公昭６２−５６０００号に示されてるような電子黒板装置が知られている。この電子黒板装置は、会議等で黒板に記録した情報をそのままコピーすることができるため、出席者がいちいちメモを取る必要がなく、オフィス内の会議室等で広く利用されている。その構成は、筐体内にエンドレスタイプの筆記シートを有し、その筆記シートをシートローラによって搬送しつつ、書き込まれた内容を読み取り、読み取り後は読み取った筆記面に替えて新たな筆記面を提供しようとするものである。
【０００３】
【発明が解決しようとする課題】
しかしながら上記のような電子黒板装置においては、コピーを行った後には必ず別の筆記面が現れるため、会議中に一旦コピーを行った後にも会議を継続する場合や、会議後に記録内容を消去する場合には、更に筆記シートを１画面分空送りさせる必要があり、操作が非常に面倒であった。
【０００４】
【課題を解決するための手段】
本発明は上記課題を解決するために、第１及び第２の筆記面を有する筆記シートと、内部に筆記シートを有しその開口部から前記第１の筆記面又は前記第２の筆記面を表出させる筐体と、前記筆記シートを搬送する搬送手段と、前記搬送手段により搬送される前記筆記シートに書かれた情報を読み取る読取手段と、前記読取手段によって読み取られた情報を出力する出力手段と、第１及び第２の入力キーを有する入力手段と、前記搬送手段、前記読取手段、前記出力手段を制御する制御手段とを有し、前記制御手段は、前記筐体の開口部から前記第１の筆記面が表出した状態において、前記第１の入力キーからの入力に応答して、前記搬送手段を駆動して前記筆記シートを搬送させつつ、前記読取手段を駆動して前記第１の筆記面に書かれた情報を読み取らせるとともに、前記出力手段に出力させた後、再び前記第１の筆記面を前記筐体の開口部から表出させるように前記搬送手段を制御し、また、前記筐体の開口部から前記第１の筆記面が表出した状態において、前記第２の入力キーからの入力に応答して、前記搬送手段を駆動して前記筆記シートを搬送させて前記第１の筆記面に替えて、前記第２の筆記面を前記筐体の開口部から表出させることを特徴とするものである。
【０００５】
【発明の実施の形態】
請求項１に記載の電子黒板装置は、第１及び第２の筆記面を有する筆記シートと、内部に筆記シートを有しその開口部から前記第１の筆記面又は前記第２の筆記面を表出させる筐体と、前記筆記シートを搬送する搬送手段と、前記搬送手段により搬送される前記筆記シートに書かれた情報を読み取る読取手段と、前記読取手段によって読み取られた情報を出力する出力手段と、第１及び第２の入力キーを有する入力手段と、前記搬送手段、前記読取手段、前記出力手段を制御する制御手段とを有し、前記制御手段は、前記筐体の開口部から前記第１の筆記面が表出した状態において、前記第１の入力キーからの入力に応答して、前記搬送手段を駆動して前記筆記シートを搬送させつつ、前記読取手段を駆動して前記第１の筆記面に書かれた情報を読み取らせるとともに、前記出力手段に出力させた後、再び前記第１の筆記面を前記筐体の開口部から表出させるように前記搬送手段を制御し、また、前記筐体の開口部から前記第１の筆記面が表出した状態において、前記第２の入力キーからの入力に応答して、前記搬送手段を駆動して前記筆記シートを搬送させて前記第１の筆記面に替えて、前記第２の筆記面を前記筐体の開口部から表出させることを特徴とするものである。
【０００６】
これにより、コピーを行う場合には第１の入力キーからの入力に応答してコピーを行った後、再び元の筆記面が提供され、また、別の筆記面への記録が必要な場合には、第２のキー入力からの入力に応答して新たな筆記面が提供されることにより、状況に応じて適切な筆記面が選択され、非常に操作性の良い電子黒板装置を提供するものである。
【０００７】
以下、本発明の実施の形態について図面を用いて説明する。
図１は、発明の一実施の形態における電子黒板装置の斜視図であって、１は黒板本体の筐体、２は筆記具により書き込み・消去が可能であって、筐体１内において図２に示すようにローラ１１及び１２に架張されたエンドレスシート、３は筐体２の下部に取り付けられたプリンタ部、４はプリンタ部に設けられコピーキー及びシート送りキーを有する操作パネル、５は筆記具のトレイ、６は記録用紙７を排出するための排出口である。筐体１には開口部１ａが設けられており、エンドレスシート２の開口部１ａから表出する部分が筆記面Ａとなる（図２の破線で示した部分）。エンドレスシート２は図２のようにローラ１１及び１２に架張されているため、合計２面の筆記面を提供できる。
【０００８】
図２は、図１の電子黒板装置におけるエンドレスシート２の斜視図、図３は、同電子黒板装置のブロック図であって、１１及び１２は上述したようにエンドレスシート２を架張するローラであって、ローラ１２はモータ１３により矢印Ｎ１方向に回転する。それによりエンドレスシート２は矢印Ｘ方向に搬送され、ローラ１１はエンドレスシート２の移動に連れ回りして矢印Ｎ２方向に回転する。モータ１３は、高速回転モードと低速回転モードを有し、後述するＣＰＵ２２からの指示によりどちらかのモードで動作する。
【０００９】
１４は光源、１５は反射ミラー、１６は集光レンズ、１７はイメージセンサであって、光源１４から発せされた光のエンドレスシート２上での反射光は、反射ミラー１５、集光レンズ１６を介してイメージセンサ１７に入射する。イメージセンサ１７に入射した光は電気信号に変換された後に画像処理回路１８へ送られ、ここで２値化処理及び解像度変換等が行われ感熱プリンタ２１で記録用紙７に印刷される。勿論、感熱プリンタ２１は電子写真方式やインクジェット方式など他の記録方式によるプリンタでも構わない。
【００１０】
また、図２にも示すように、エンドレスシート２にはマーク２ａ、２ｂが設けられている。マーク２ａは、エンドレスシート２において、筐体１の開口部１ａから表出しない下端縁部分で、かつエンドレスシート２の筆記面Ａの先頭部分に設けられている。また、筆記面Ａが表出している時に筐体１の内部側にあるもう一つの筆記面の先頭部分にも、マーク２ａと同様なマーク２ｂが設けられている。ここで、１９は原点位置センサであって、この原点位置センサ１９でマーク２ａ又は２ｂを検知して、エンドレスシート２の筆記面を筐体１の開口部１ａに位置合わせする。また、２０は読取位置センサであって、この読取位置センサ２０でマーク２ａ又は２ｂを検知することにより、イメージセンサ１７による読み取り開始のタイミング決定する。
【００１１】
２２は以上の装置全体を制御するＣＰＵである。
以上のように構成された本実施の形態の電子黒板装置について、以下、その動作を図４及び図５のフローチャートを用いて説明する。
【００１２】
先ず、操作パネル４のコピーキーが押されると（Ｓ１）、ＣＰＵ２２の制御の下にコピー処理が行われて、エンドレスシート２上に書かれた情報が感熱プリンタ２１によって記録用紙７に印刷される（Ｓ２）。また、操作パネル４の送りキーが押されると（Ｓ３）、ＣＰＵ２２はモータ１３を高速回転モードにて回転させ、高速モードでエンドレスシート２の搬送が開始される（Ｓ４）。そして、ＣＰＵ２２は原点位置センサ１９を監視して、マーク２ａ又は２ｂを検知すると（Ｓ５）、モータ１３を停止させてエンドレスシート２の搬送を停止させる（Ｓ６）。
【００１３】
次に、Ｓ２におけるコピー処理について説明する。
先ず、コピーキーが押されたことを検知すると、ＣＰＵ２２は、光源１４を点灯させ（Ｓ１１）、モータ１３を高速回転モードで回転させてエンドレスシート２を高速モードで搬送開始する（Ｓ１２）。そして、印字位置センサ２０を監視してマーク２ａ又は２ｂを検知すると（Ｓ１３）、モータ１３を低速回転モードに切り替え、即ちエンドレスシートの搬送を、読み取り・印字に適した低速モードに切り替える（Ｓ１４）。その後、読取位置センサ２０による検知後エンドレスシート２を所定距離送り（Ｓ１５）、イメージセンサ１７、画像処理回路１８及び感熱プリンタ２１を駆動して、読み取り・印字を開始する（Ｓ１６）。この時、エンドレスシート２０の送り量は、パルスモータであるモータ１３の回転量により管理する。
【００１４】
情報の読み取り・印字の開始後、１筆記面分の読み取りが終了するまで、即ちエンドレスシート２を１筆記面分搬送するまで読み取りと印字を行う（Ｓ１７、Ｓ１８）。読み取りと印字が終わると、ＣＰＵ２２はモータ１３を高速モードに切り替えてエンドレスシート２を高速モードで搬送開始し（Ｓ１９）、原点位置センサ１９でマーク２ａ又は２ｂを検知すると、モータ１３を停止させてエンドレスシート２の搬送を停止し（Ｓ２１）、光源１４を消灯させ（Ｓ２２）、処理を終了する。この時、図３のようにエンドレスシート２上の情報の読取位置は、ローラ１１よりも筆記面のやや中心側よりあり、上記のコピー動作によりコピーすべき筆記面の終端が読み取り位置を通過するときには、図６に示すように、コピーしない側の筆記面の先端が原点位置センサ１９を通過しているため、Ｓ２０でマーク２ａ又は２ｂを検知してモータ１３を停止させると、コピーした筆記面が再び筆記面として開口部１ａから表出した状態となる。従って、コピー後はまた元の筆記面に戻って、筆記内容を消すとか、更に過失・修正して再度コピーを行うことができる。また、別の筆記面が必要な場合には送りキーを押せば１筆記面分のみエンドレスシート２を送ることもできる。
【００１５】
更に、読み取り・印字を伴わない時には、モータを高速回転モードで駆動するため、動作中の待ち時間を短縮することができる。
【００１６】
尚、上記した実施の形態において、エンドレスシート２に書かれた情報の読取位置を、図７に示すように、ローラ１１付近、即ち、コピーする筆記面の後端部が読取位置を通過するまでに、コピーしない筆記面の先端が原点位置センサ１９を通過しないような位置に設ける場合には、Ｓ２０においてマーク２ａ及び２ｂを連続して検知した後にエンドレスシート２を停止させなければならない。
【００１７】
【発明の効果】
本発明によれば、コピーの際には元の画面に戻って情報の加筆・消去が可能で、また、必要な場合には別の新たな筆記面を選択できるため、操作性のよい電子黒板装置を提供することができる。
【図面の簡単な説明】
【図１】本発明の一実施の形態における電子黒板装置の斜視図
【図２】図１の電子黒板装置におけるエンドレスシートの斜視図
【図３】同電子黒板装置のブロック図
【図４】同電子黒板装置の動作フローチャート
【図５】同電子黒板装置におけるコピー処理の動作フローチャート
【図６】同電子黒板装置における動作説明図
【図７】本発明の他の実施の形態における電子黒板装置の説明図
【符号の説明】
１  筐体
２  エンドレスシート
３  プリンタ部
４  操作パネル
５  トレイ
６  排出口
１１  ローラ
１２  ローラ
１３  モータ
１４  光源
１５  反射ミラー
１６  集光レンズ
１７  イメージセンサ
１８  画像処理回路
１９  原点位置センサ
２０  読取位置センサ
２１  感熱プリンタ
２２  ＣＰＵ
【図１】
0003724127.tif 000002
【図２】
0003724127.tif 000003
【図３】
0003724127.tif 000004
【図４】
0003724127.tif 000005
【図５】
0003724127.tif 000006
【図６】
0003724127.tif 000007
【図７】
0003724127.tif 000008